(57)【要約】【課題】シャワーのお湯でユーザーの足を適度に温めるとともに、ユーザーがシャワーを終えて貯水部から出た際、お湯を抜く作業を不要にしてユーザーにとって使い勝手のよい足湯用具を提供する。【解決手段】足湯用具１００は、内部にシャワーのお湯をためる貯水部１１０を有している。貯水部１１０が、ユーザーの足を載せる底部分１１１と、底部分１２０の側方に設けられて底部分１１１を囲む側壁部分１１２とを備えている。底部分１１１が、貯水部１１０の内部と外部とを繋ぐ蓋なし穴またはスリット１１１ａを有している。【選択図】図１
0003231294.tif 000002
【実用新案登録請求の範囲】
【請求項１】
貯水部の内部にシャワーのお湯をためる足湯用具であって、
前記貯水部が、ユーザーの足を載せる底部分と、
前記底部分の側方に設けられて底部分を囲む側壁部分とを備え、
前記底部分が、前記貯水部の内部と外部とを繋ぐ蓋なし穴またはスリットを有していることを特徴とする足湯用具。
【請求項２】
前記蓋なし穴またはスリットが、前記底部分の端領域に配設されていることを特徴とする請求項１に記載の足湯用具。
【請求項３】
前記側壁部分の外側に吊り下げ用穴部をさらに備え、
前記底部分における蓋なし穴またはスリットの位置が、前記貯水部の中心を基準として吊り下げ用穴部の位置に対して反対側であることを特徴とする請求項２に記載の足湯用具。
【請求項４】
前記貯水部が、軟性素材で形成され、
前記側壁部分が、中空であり、空気注入・排気自在な弁を有していることを特徴とする請求項１乃至請求項３のいずれか１つに記載の足湯用具。
【考案の詳細な説明】
【技術分野】
【０００１】
本考案は、貯水部の内部にシャワーのお湯をためる足湯用具に関する。
【背景技術】
【０００２】
従来、底部に排水口が設けられた水槽部と、水槽部内に配置され、排水口を覆い隠す被覆部材としてのステップとを備えている足湯装置が知られている（例えば、特許文献１）。
【先行技術文献】
【特許文献】
【０００３】
【特許文献１】特開２０２０−１５１０５６号公報（特に、段落００４１参照）
【考案の概要】
【考案が解決しようとする課題】
【０００４】
しかしながら、上述した従来の足湯装置は、ステップで排水口を覆ってポンプを用いてお湯を水槽部に貯める構造であったため、お湯が十分に貯まるまでに時間がかかるという問題があった。
また、ユーザーが足湯から上がった際に、お湯を捨てるためにステップを排水口から取り外さなくてはならないという手間があり、使い勝手に問題があった。
【０００５】
そこで、本考案は、前述したような従来技術の問題を解決するものであって、すなわち、本考案の目的は、シャワーのお湯でユーザーの足を適度に温めるとともに、ユーザーがシャワーを終えて貯水部から出た際、お湯を抜く作業を不要にしてユーザーにとって使い勝手のよい足湯用具を提供することである。
【課題を解決するための手段】
【０００６】
本請求項１に係る考案は、貯水部の内部にシャワーのお湯をためる足湯用具であって、前記貯水部が、ユーザーの足を載せる底部分と、前記底部分の側方に設けられて底部分を囲む側壁部分とを備え、前記底部分が、前記貯水部の内部と外部とを繋ぐ蓋なし穴またはスリットを有していることにより、前述した課題を解決するものである。
【０００７】
本請求項２に係る考案は、請求項１に記載された足湯用具の構成に加えて、前記蓋なし穴またはスリットが、前記底部分の端領域に配設されていることにより、前述した課題をさらに解決するものである。
【０００８】
本請求項３に係る考案は、請求項２に記載された足湯用具の構成に加えて、前記側壁部分の外側に吊り下げ用穴部をさらに備え、前記底部分における蓋なし穴またはスリットの位置が、前記貯水部の中心を基準として吊り下げ用穴部の位置に対して反対側であることにより、前述した課題をさらに解決するものである。
【０００９】
本請求項４に係る考案は、請求項１乃至請求項３のいずれか１つに記載された足湯用具の構成に加えて、前記貯水部が、軟性素材で形成され、前記側壁部分が、中空であり、空気注入・排気自在な弁を有していることにより、前述した課題をさらに解決するものである。
【考案の効果】
【００１０】
本考案の足湯用具は、貯水部を備えていることにより、貯水部の内部にシャワーのお湯をためることができるばかりでなく、以下のような特有の効果を奏することができる。
【００１１】
本請求項１に係る考案の足湯用具によれば、ユーザーが底部分の上に立ってシャワーを浴びると貯水部にお湯がたまるとともに底部分の蓋なし穴またはスリットから外部へ少しずつ排出されるため、ユーザーの足を適度に温めることができる。
例えば、浴槽がなくシャワーのみが設置されたシャワー室や、浴槽があってもお湯を張る時間を待てない場合で、少し寒いとき、シャワーのお湯でユーザーの足を適度に温めることができる。
さらに、ユーザーがシャワーを終えて貯水部から出た際、何もしなくても貯水部の内部にたまったお湯が蓋なし穴またはスリットから外部へ少しずつ排出され、お湯を抜く作業が不要となるため、ユーザーにとって使い勝手のよい足湯用具を提供することができる。
また、ユーザーがシャワー中において貯水部のお湯が自重によって底部分を浴室の設置面に押しつけるように垂直抗力として作用するため、足湯用具を浴室の設置面に対して滑りにくくすることができる。
【００１２】
本請求項２に係る考案の足湯用具によれば、請求項１に係る考案が奏する効果に加えて、貯水部にお湯がたまっているとき、底部分の中央寄りの領域では、貯水部のお湯が自重によって底部分を浴室の設置面に押しつけるように垂直抗力として作用するが、底部分の端より外側の領域では、お湯の自重による垂直抗力が殆ど作用せず、側壁部分の下端と設置面との間には隙間が形成されやすくなるため、貯水部の内部のお湯を底部分の端の蓋なし穴またはスリットを介して側壁部分の下端と設置面との間を通って外部へ確実に排出することができる。
【００１３】
本請求項３に係る考案の足湯用具によれば、請求項２に係る考案が奏する効果に加えて、浴室の壁などに設置されたフックなどに吊り下げ用穴部をひっかけて足湯用具を吊り下げると、底部分において蓋なし穴またはスリットの位置が下端になるため、足湯用具を吊り下げると、貯水部のお湯を残らず排出することができる。
【００１４】
本請求項４に係る考案の足湯用具によれば、請求項１乃至請求項３のいずれか１つに係る考案が奏する効果に加えて、側壁部分が中空な分、足湯用具が全体として軽量となるため、足湯用具の持ち運びや吊り下げを簡単に行うことができる。
さらに、側壁部分の内部の空気を排気すると側壁部分がしぼむため、足湯用具を使用しないときは足湯用具を折り畳んだり巻いたりしてコンパクトにして片付けることができる。
【図面の簡単な説明】
【００１５】
【図１】（Ａ）（Ｂ）は本考案の実施例である足湯用具の概念を示す平面図および側断面図。
【図２】（Ａ）（Ｂ）は本考案の実施例である足湯用具の他の形態を示す平面図。
【考案を実施するための形態】
【００１６】
本考案の足湯用具は、内部にシャワーのお湯をためる貯水部を有し、貯水部が、ユーザーの足を載せる底部分と、底部分の側方に設けられて底部分を囲む側壁部分とを備え、底部分が、貯水部の内部と外部とを繋ぐ蓋なし穴またはスリットを有していることにより、シャワーのお湯でユーザーの足を適度に温めることができるとともに、足湯用具を浴室の設置面に対して滑りにくくすることができ、ユーザーがシャワーを終えて貯水部から出た際、お湯を抜く作業を不要にして、ユーザーにとって使い勝手のよい足湯用具を提供することができるものであれば、その具体的な実施態様は、如何なるものであっても構わない。
【００１７】
例えば、貯水部の側壁部分の平面視の形状は、正円や楕円を含む円形、三角形、四角形、多角形など如何なるものであっても構わない。
また、蓋なし穴またはスリットは、底部分に設けられていればよく、蓋なし穴またはスリットの位置は、底部分の中央寄りの領域や端領域などいずれでもよい。
さらに、蓋なし穴またはスリットの数は、１つでもよいし、複数でもよい。
また、貯水部の材質は、軟性ビニール（ポリ塩化ビニール）などの変形自在なものでもよいし、プラスチックなどの硬質樹脂で変形しにくいものでもよい。
【実施例】
【００１８】
以下に、本考案の実施例である足湯用具１００について、図１（Ａ）乃至図２（Ｂ）に基づいて説明する。
ここで、図１（Ａ）は、本考案の実施例である足湯用具１００の概念を示す平面図であり、図１（Ｂ）は、図１（Ａ）に示す符号１Ｂ−１Ｂから視た側断面図であり、図２（Ａ）および図２（Ｂ）は、本考案の実施例である足湯用具１００の他の形態を示す平面図である。
【００１９】
本考案の実施例である足湯用具１００は、図１（Ａ）および図１（Ｂ）に示すように、内部にシャワーのお湯をためる貯水部１１０を有している。
そして、貯水部１１０が、底部分１１１と、側壁部分１１２とを備えている。
このうち、底部分１１１は、ユーザーの足を載せるように設けられている。
また、側壁部分１１２は、底部分１１１の側方に設けられて底部分１１１を囲むように構成されている。
一例として、貯水部１１０の外径は、約６００ｍｍ、内径は、約５４０ｍｍである。
そして、側壁部分１１２の厚みは、約８０ｍｍ、高さは、約８０ｍｍである。
貯水部１１０の容積は、１００００〜４００００立方センチメートル程度が望ましい。
平面視円形の場合、内径は、３４０〜９２０ｍｍ、高さは、６０〜１００ｍｍ程度である。
さらに、本実施例では、底部分１１１が、貯水部１１０の内部と外部とを繋ぐ蓋なし穴またはスリット１１１ａを有している。
本実施例では、蓋なし穴またはスリット１１１ａの一例であるスリット１１１ａとして説明する。
一例として、スリット１１１ａの長さは、約１０ｍｍ、間隔は、約１ｍｍである。
【００２０】
これにより、ユーザーが底部分１１１の上に立ってシャワーを浴びると貯水部１１０にお湯がたまるとともに底部分１１１の蓋なし穴またはスリット１１１ａから外部へ少しずつ排出される。
その結果、ユーザーの足を適度に温めることができる。
例えば、浴槽がなくシャワーのみが設置されたシャワー室や、浴槽があってもお湯を張る時間を待てない場合で、少し寒いとき、シャワーのお湯でユーザーの足を適度に温めることができる。
【００２１】
さらに、ユーザーがシャワーを終えて貯水部１１０から出た際、何もしなくても貯水部１１０の内部にたまったお湯が蓋なし穴またはスリット１１１ａから外部へ少しずつ排出され、お湯を抜く作業が不要となる。
その結果、ユーザーにとって使い勝手のよい足湯用具１００を提供することができる。
また、ユーザーがシャワー中において貯水部１１０のお湯が自重によって底部分１１１を浴室の設置面に押しつけるように垂直抗力として作用する。
その結果、足湯用具１００を浴室の設置面に対して滑りにくくすることができる。
【００２２】
ここで、貯水部１１０にお湯がたまっているとき、底部分１１１の中央寄りの領域ＡＲ１では、貯水部１１０のお湯が自重によって底部分１１１を浴室の設置面に押しつけるように垂直抗力として作用する。
そこで、本実施例では、スリット１１１ａが、底部分１１１の端領域ＡＲ２に配設されている。
【００２３】
これにより、底部分１１１の端より外側の領域では、お湯の自重による垂直抗力が殆ど作用せず、側壁部分１１２の下端と設置面との間には隙間が形成されやすくなる。
その結果、貯水部１１０の内部のお湯を底部分１１１の端のスリット１１１ａを介して側壁部分１１２の下端と設置面との間を通って外部へ確実に排出することができる。
【００２４】
さらに、本実施例では、足湯用具１００が、側壁部分１１２の外側に吊り下げ用穴部１２０をさらに備えている。
そして、底部分１１１における蓋なし穴またはスリット１１１ａの位置が、貯水部１１０の中心を基準として吊り下げ用穴部１２０の位置に対して反対側となるように構成されている。
【００２５】
これにより、浴室の壁などに設置されたフックなどに吊り下げ用穴部１２０をひっかけて足湯用具１００を吊り下げると、底部分１１１において蓋なし穴またはスリット１１１ａの位置が下端になる。
その結果、足湯用具１００を吊り下げると、貯水部１１０のお湯を残らず排出することができる。
【００２６】
また、本実施例では、貯水部１１０が、軟性素材の一例として軟性ビニール（ポリ塩化ビニール）で形成されている。
そして、側壁部分１１２が、中空であり、空気注入・排気自在な弁１１２ａを有している。
これにより、側壁部分１１２が中空な分、足湯用具１００が全体として軽量となる。
その結果、足湯用具１００の持ち運びや吊り下げを簡単に行うことができる。
さらに、側壁部分１１２の内部の空気を排気すると側壁部分１１２がしぼむ。
その結果、足湯用具１００を使用しないときは足湯用具１００を折り畳んだり巻いたりしてコンパクトにして片付けることができる。
【００２７】
図２（Ａ）に示すように、足湯用具１００は、貯水部１１０の側壁部分１１２の平面視の形状が四角形のものであってもよい。
平面視四角形の場合、内側の一辺は、３１０〜８２０ｍｍ、高さは、６０〜１００ｍｍ程度である。
また、図２（Ｂ）に示すように、足湯用具１００は、貯水部１１０の側壁部分１１２の平面視の形状が六角形のものであってもよい。
平面視六角形の場合、内側の一辺は、２００〜５００ｍｍ、高さは、６０〜１００ｍｍ程度である。
【００２８】
このようにして得られた本考案の実施例である足湯用具１００は、内部にシャワーのお湯をためる貯水部１１０を有し、貯水部１１０が、ユーザーの足を載せる底部分１１１と、底部分１１１の側方に設けられて底部分１１１を囲む側壁部分１１２とを備え、底部分１１１が、貯水部１１０の内部と外部とを繋ぐ蓋なし穴またはスリット１１１ａを有していることにより、シャワーのお湯でユーザーの足を適度に温めることができるとともに、足湯用具１００を浴室の設置面に対して滑りにくくすることができ、ユーザーがシャワーを終えて貯水部１１０から出た際、お湯を抜く作業を不要としてユーザーにとって使い勝手のよい足湯用具１００を提供することができる。
【００２９】
さらに、蓋なし穴またはスリット１１１ａが、底部分１１１の端領域ＡＲ２に配設されていることにより、貯水部１１０の内部のお湯を底部分１１１の端の蓋なし穴またはスリット１１１ａを介して側壁部分１１２の下端と設置面との間を通って外部へ確実に排出することができる。
【００３０】
また、側壁部分１１２の外側に吊り下げ用穴部１２０をさらに備え、底部分１１１における蓋なし穴またはスリット１１１ａの位置が、貯水部１１０の中心を基準として吊り下げ用穴部１２０の位置に対して反対側であることにより、足湯用具１００を吊り下げると、貯水部１１０のお湯を残らず排出することができる。
【００３１】
さらに、貯水部１１０が、軟性素材で形成され、側壁部分１１２が、中空であり、空気注入・排気自在な弁１１２ａを有していることにより、足湯用具１００の持ち運びや吊り下げを簡単に行うことができ、足湯用具１００を使用しないときは足湯用具１００を折り畳んだり巻いたりしてコンパクトにして片付けることができるなど、その効果は甚大である。
【符号の説明】
【００３２】
１００  ・・・  足湯用具
１１０  ・・・  貯水部
１１１  ・・・  底部分
１１１ａ・・・  スリット
１１２  ・・・  側壁部分
１１２ａ・・・  弁
１２０  ・・・  吊り下げ用穴部
ＡＲ１  ・・・  中央寄りの領域
ＡＲ２  ・・・  端領域
【図１】
0003231294.tif 000003
【図２】
0003231294.tif 000004